(57)【要約】【課題】地上デジタル放送の１２セグメントと１セグメントの両方が受信でき、受信状況に応じて自動的にチャンネルを切り換える機能を持つ受信機において、１２セグメントのデータ放送を操作中に自動的に１セグメントの放送に切り換えてしまうと、データ放送まで終了してしまうため操作が継続できない。【解決手段】放送波を受信するためのチューナ部と誤り訂正部からなる受信部と、受信部で受信された放送波の受信状況を判別する受信状況判定部と、受信部で受信された放送波を分離する多重分離部と、多重分離部から分離された映像信号、音声信号、データ信号をデコードするデコーダとを備え、放送波の受信感度が所定値以下であると判別した場合に、前記データ信号によりデコードされたデータ信号をＲＡＭに保持することを特徴とする放送受信機である。【選択図】図１
2007251480.tif 000002
【特許請求の範囲】
【請求項１】
受信状況に応じてチャンネルを自動的に切り換えるための切り換え手段と、ユーザーが操作中であることを判定する操作中判定手段を具備し、ユーザーの操作を妨げないように前記切り換え判定手段を制御することを特徴とするデジタル放送受信機。
【請求項２】
切り換え先のチャンネルが、切り換え元のチャンネルとおなじ番組をおなじ時刻に放送しているかどうかを判定するサイマル放送判定手段を具備し、おなじ番組を放送していない場合にはチャンネル切り換えをしないように切り換え判定手段を制御することを特徴とするデジタル放送受信機。
【発明の詳細な説明】
【技術分野】
【０００１】
本発明は、デジタル放送受信機に関するものである。
【背景技術】
【０００２】
地上デジタル放送では、家庭用テレビ向けにハイビジョン番組を送出している１２セグメント放送と、携帯電話など移動体向けに簡易動画を送出する１セグメント放送がおこなわれている。
【０００３】
１セグメント放送は、１２セグメント放送にくらべて所要Ｃ／Ｎが低いので、電波の届きにくい場所で、１２セグメント放送が受信できない場合でも１セグメント放送であれば受信が可能な場合がある。
【０００４】
携帯用テレビや車載用テレビなど、移動しながら電波を受信し視聴するようなデジタル放送受信機では、１２セグメント放送と１セグメント放送の両方の放送が受信できる機能を搭載し、電波の強い地域では１２セグメント放送を受信してハイビジョン番組を視聴するが、１２セグメント放送が受信できない、電波の弱い場所に移動したときには１セグメント放送を受信して簡易動画を視聴する、といった使い方が考えられる。
【０００５】
さらに、１２セグメント放送と１セグメント放送でおなじ時刻におなじ番組が放送されている場合（以後「サイマル放送」と呼ぶ）には、１２セグメント放送が受信できなくなったときに自動的に１セグメント放送に切り換える機能があれば、ユーザーは受信状況に注意して切り換え操作をすることなく、視聴を継続することができて便利である。図２は、従来の方法による、１セグメント放送と１２セグメント放送の自動切り換えをおこなう装置の構成を説明する図である。
【０００６】
チューナ部１０１は、地上デジタル放送の電波を受信し、復調を行い、誤り訂正部１０２へデジタル放送ストリームを出力する。誤り訂正部１０２では、前記チューナ部１０１から出力されるデジタル放送ストリームを、その中に含まれる誤り訂正符号をもちいて、誤り訂正をおこない、訂正後のデジタル放送ストリームを多重分離部１０３へ出力する。
【０００７】
多重分離部１０３は、前記誤り訂正部１０２から出力される、訂正後のデジタル放送ストリームから、１セグメント放送ストリームと、１２セグメント放送ストリームに分離し、またそれぞれのストリームのなかの、映像ＥＳ（エレメンタリーストリーム）、音声ＥＳ、データ放送ＥＳ、番組情報、選局情報をそれぞれに分離して出力する。
【０００８】
動画デコード部１０４は、前記多重分離部１０３から出力される映像ＥＳと音声ＥＳをデコードして映像信号と音声信号を出力する。
【０００９】
データ放送提示部１０５は、前記多重分離部１０３から出力されるデータ放送ＥＳを蓄積、解析しデータ放送コンテンツを表示する信号を出力する。
【００１０】
番組関連情報表示部１０６は、前記多重分離部１０３から出力される番組情報を蓄積、解析し番組表や番組内容などを表示する信号を出力する。
【００１１】
表示映像合成部１０７は、前記動画デコード部１０４から出力される映像信号と、前記データ放送提示部１０５から出力されるデータ放送の映像信号と、前記番組関連情報表示部１０６から出力される番組情報画面の映像信号を合成して１枚の画面に配置し、出力するものである。
【００１２】
受信状況判定部１０８は、前記誤り訂正部１０２から得られる放送ストリームの誤り率と、前記チューナ部１０１から得られるデジタル放送の受信状況を入力し、１２セグメント放送を十分デコードできる受信状態であるかどうかの判定をおこなう。
【００１３】
また、特許文献１のように、１セグメント放送と１２セグメント放送を自動的に切り換える際に、受信状況に応じて頻繁に切り換えが発生しないように、受信状況の時間変化をみてヒステリシスをもたせる技術もすでに公開されている。
【特許文献１】特許第３４８１１７２号公報
【発明の開示】
【発明が解決しようとする課題】
【００１４】
地上波デジタル放送の１２セグメント放送でデータ放送を受信し、そのコンテンツをユーザーが操作している時に、移動等によって電波の受信状況が悪くなったために自動的に１セグメント放送に切り換わってしまうと、データ放送の提示が終了しユーザーの操作が強制的に中断されてしまう。また、その状態から受信状況が良化し、１２セグメント放送が受信できるようになったときにデータ放送コンテンツを再取得しても、コンテンツの最初の画面が起動し、それまでの操作が無効になってしまうため、非常に使いにくいという問題があった。
【００１５】
上記問題は、１セグメント放送を受信し、１セグメント放送のデータ放送コンテンツを操作している場合に受信状況が変化した場合でもまったく同様である。
【００１６】
あるいは、番組表のように、現在視聴中の放送内容と関連する番組関連情報を閲覧し、予約設定などの操作しているときに、移動等によって電波の受信状況が変化したために１セグメント放送と１２セグメント放送の切り換えを自動的に行ってしまうと、番組表の操作が中断され非常に使いにくいものになってしまうという問題があった。ここでいう番組関連情報としては、番組表以外にも、番組内容や裏番組一覧など、番組情報の表示と選択などの操作をする画面や、番組の予約操作、有料番組の購入操作、視聴年齢制限の解除のための暗証番号入力操作など視聴中の番組と連動する画面である。
【００１７】
また、１２セグメント放送を視聴中に、受信状況が悪化したとしても、その放送局で１セグメント放送を行っていない場合や、１セグメント放送を行っているが休止中であったり、サイマル放送ではない場合には、切り換えて視聴する意味がなく、自動的に切り換えてしまうと、ユーザーが混乱するという問題があった。
【００１８】
また、ユーザーが、見たい番組を順に選局しながら探すときに、チャンネルごとに電波の受信状況が異なっていると、頻繁に１セグメント放送と１２セグメント放送の自動切り換えが発生することになり、ユーザーの操作の妨げになってしまうという問題があった。
【課題を解決するための手段】
【００１９】
上記問題点に鑑み、本発明のデジタル放送受信機では、データ放送提示部からえられる、データ放送の動作状態から、ユーザーが操作しているがどうかを判定する操作中判定部を具備し、データ放送をユーザーが操作しているときには、電波の受信状況が変化しても自動切り換えをおこなわず、データ放送の操作が継続できるように切り換え判定部を制御することを特徴とする。
【００２０】
同様に、番組関連情報表示部からえられる、番組情報関連画面の操作状態によって、その画面をユーザーが操作しているかどうかを判断する操作中判定部を具備し、ユーザーが番組情報関連画面を操作中には、受信状況が変化しても１セグメントと１２セグメントのあいだの自動切り換えを行わないように切り換え判定部を制御することを特徴とする。
【００２１】
同様に、多重分離手段からえられる放送情報から、サイマル放送の有無を判別するサイマル放送判定手段を具備し、サイマル放送がおこなわれていないときには、受信状況が変化しても１セグメント放送と１２セグメント放送のあいだの切り換えを行わないように切り換え判定手段を制御することを特徴とする。
【００２２】
同様に、選局制御部でユーザーが選局動作を行っているかどうかの状態を判断する操作中判定部を具備し、ユーザーが連続した順次選局操作をおこなっている時には、受信状況が変化しても１セグメントと１２セグメントのあいだの切り換えを行わないように切り換え判定手段を制御することを特徴とする。
【発明の効果】
【００２３】
本発明のデジタル放送受信機は、ユーザーの画面操作や選局操作を阻害しないように、１セグメント放送と１２セグメント放送の自動切り換えをおこなうことで、操作性と利便性を両立させることができる。
【発明を実施するための最良の形態】
【００２４】
以下本発明を実施するための最良の形態について、図面を参照しながら説明する。
【００２５】
（実施の形態１）
図１は本発明の実施の形態１における、地上デジタル放送受信機の構成図である。
【００２６】
図１において、チューナ部１０１は、地上デジタル放送の電波を受信し、復調を行い、誤り訂正部１０２へデジタル放送ストリームを出力する。
【００２７】
誤り訂正部１０２では、前記チューナ部１０１から出力されるデジタル放送ストリームを、その中に含まれる誤り訂正符号をもちいて、誤り訂正をおこない、訂正後のデジタル放送ストリームを多重分離部１０３へ出力する。また、同時にそのときの誤り率を受信状況判定部１０８へ出力する。
【００２８】
多重分離部１０３は、前記誤り訂正部１０２から出力される、訂正後のデジタル放送ストリームから、１セグメント放送ストリームと、１２セグメント放送ストリームに分離し、またそれぞれのストリームのなかの、映像ＥＳ（エレメンタリーストリーム）、音声ＥＳ、データ放送ＥＳ、番組情報、選局情報をそれぞれに分離して出力する。
【００２９】
動画デコード部１０４は、前記多重分離部１０３から出力される映像ＥＳと音声ＥＳをデコードして映像信号と音声信号を出力する。
【００３０】
データ放送提示部１０５は、前記多重分離部１０３から出力されるデータ放送ＥＳを蓄積、解析しデータ放送コンテンツを表示する信号を出力する。
【００３１】
番組関連情報表示部１０６は、前記多重分離部１０３から出力される番組情報を蓄積、解析し番組表や番組内容などを表示する信号を出力する。
【００３２】
表示映像合成部１０７は、前記動画デコード部１０４から出力される映像信号と、前記データ放送提示部１０５から出力されるデータ放送の映像信号と、前記番組関連情報表示部１０６から出力される番組情報画面の映像信号を合成して１枚の画面に配置し、出力するものである。
【００３３】
受信状況判定部１０８は、前記誤り訂正部１０２から得られる放送ストリームの誤り率と、前記チューナ部１０１から得られるデジタル放送の受信電波の強度を入力し、１２セグメント放送を十分デコードできる受信状態であるかどうかの判定をおこなう。なお、誤り率は、誤り訂正部１０２で訂正後のパケット毎の誤り率（ＰＥＲ：ＰａｃｋｅｔＥｒｒｏｒＲａｔｅ）あるいは、ビット毎の誤り率（ＢＥＲ：ＢｉｔＥｒｒｏｒＲａｔｅ）を用いてもよい。あるいはそれ以外に、たとえば同一ストリーム内に含まれるチャンネルにかんする情報（ＰＡＴ：ＰｒｏｇｒａｍＡｓｓｏｓｉａｔｉｏｎＴａｂｌｅ）の受信状況などをもちいてもよい。
【００３４】
なお、前記受信状況判定部において、１セグメント放送から１２セグメント放送に切り換えるときの受信レベルの閾値と、１２セグメント放送から１セグメント放送に切り換えるときの受信レベルの閾値と、別のものにすることで、切り換えが頻繁に発生して視聴しにくくなることを避けるようにしてもよい。
【００３５】
なお、切り換えの条件は、単純に受信レベルの閾値だけではなく、その時間軸方向の平均や変化の傾きを考慮するなど、受信レベルの変化の様子を考慮しで、切り換えが頻繁に発生して視聴しにくくなることを避けるようにしてもよい。
【００３６】
なお、自動切り換えを手動で停止できるようなメニューやリモコンボタンを設けても良い。
【００３７】
サイマル放送判定部１０９は、前記多重分離部１０３で分離された番組情報と選局情報
から、現在視聴中の放送局で１２セグメント放送と１セグメント放送が行われているかどうか、またその１２セグメント放送と１セグメント放送とで、おなじ内容の放送が同時に行われているかどうかを判定するものである。
【００３８】
１２セグメント放送と１セグメント放送とが、同時におなじ内容の放送をおこなっていることを「サイマル放送をおこなっている」と以降の文章では表現することとする。
【００３９】
なお、サイマル放送判定部１０９において、サイマル放送が行われているかどうかの判定をおこなうときに、番組情報や選局情報のなかでなんらかの明確な指標が情報として埋め込まれている場合、それを用いておこなってもよい。
【００４０】
なお、動画デコード部１０４で、１セグメント放送ストリームと１２セグメント放送ストリームが、同時にデコードできるのであれば、そこで出力される２つの映像信号もしくは音声信号の比較からサイマル放送であるかどうかを、判断しても良い。
【００４１】
なお、放送波のなかに、サイマル放送であることをあらわす論理的な指標がない場合、番組情報や選局情報のなかに記述されている番組の属性の類似度合いを用いて、サイマル放送であるかどうかを判断しても良い。たとえば、番組の属性とは、以下のようなものがある
・番組タイトル
・番組の開始時間、終了時間
・番組のジャンルコード
・映像の属性（１６：９、４：３、４：３レターボックス、など）
・音声の属性（ステレオ、二ヶ国語放送、など）
・字幕放送の内容（文字列）
・緊急警報放送かどうか
切り換え判定部１１２は、前記受信状況判定部１０８から出力される受信状況の判定結果と、サイマル放送判定部１０９から出力されるサイマル放送の有無の判定結果を入力し、受信状況が変化しても、サイマル放送でない場合には、自動切り換えを行わないように、前記多重分離部１０３を制御するためのものである。
【００４２】
選局制御部１１０はリモコンやタッチパネルなどの操作デバイスをもちいて、ユーザーが選局動作を実現するためのものであり、実際にユーザーが選局操作を行っていることを操作中判定部１１１へ通知する。
【００４３】
操作中判定部１１１では、前記選局制御部でユーザーが選局操作を行っている最中かどうかを判定し、その結果を前記切り換え判定部１１２へ通知する。
【００４４】
前記切り換え判定部１１２では、受信判定状況部１０８からの信号と、サイマル放送判定部１０９からの信号だけではなく、操作中判定部１１１からの信号も入力し、ユーザーの操作中には、１セグメント放送と１２セグメント放送のあいだの切り換えをさせないようにするものである。
【００４５】
操作中判定部１１１では、前記選局制御部以外にも、前記データ放送提示部１０５や、前記番組関連情報表示部１０６で、ユーザーが本機にたいして何らかの操作を行っている最中であることを検出し、切り換え判定部へ１セグメント放送と１２セグメント放送の切り換えを抑止するように制御する。
【００４６】
これにより、ユーザーがデータ放送コンテンツを閲覧、もしくは操作している最中であれば、１２セグメント放送の映像や音声が出力できないまで受信状況が悪化したとしても、１セグメント放送に切り換えないで、１２セグメント放送のデータ放送の提示を継続させるように、切り換え判定部を制御することができる。
【００４７】
なお、データ放送の閲覧中であるかどうかの判定は、単純にデータ放送コンテンツが起動していることで判定してもよい。なお、データ放送コンテンツが起動中であるかどうかの判断は、データ放送ブラウザのプログラムが起動していることで判定しても良い。
【００４８】
あるいはまた、データ放送ブラウザが、全画面透明ではないコンテンツが表示されていることで判別してもよい。
【００４９】
あるいはまた、全画面透明の代わりに、画面のうち一定の割合以上の面積が透明でないことで、データ放送コンテンツが起動していると判定しても良い。あるいはまた、映像信号が縮小表示されていることで判定しても良い。なお、データ放送の閲覧中であるかどうかの判定は、データ放送コンテンツの初期起動画面以外の画面へ遷移していることで判定してもよい。
【００５０】
なお、単にデータ放送が表示されているかどうかだけではなく、実際にユーザーが画面操作を行っているかどうかで判定しても良い。
【００５１】
なお、ユーザーが画面操作をしていないことは、リモコンやタッチパネル操作が一定時間以上行われていないことをもって判定しても良い。
【００５２】
なお、同様にユーザーが画面操作をしていないことは、データ放送のコンテンツで一定時間以上画面遷移がないことで判断してもよい。
【００５３】
なお、画面に実際にデータ放送コンテンツが表示されているか否かではなく、そのチャンネルのサービスタイプが独立データ放送であれば、初期画面は自動起動するので、そのチャンネルのサービスタイプで判定しても良い。
【００５４】
同様に、番組関連情報表示部１０６では、番組情報画面が表示されているか、ユーザーが操作を行っている状態であるかを切り換え判定部に通知し、切り換え判定部は表示中あるいは操作中であれば、１２セグメント放送の映像や音声が出力できないまで受信状況が悪化していようとも、１セグメント放送に切り換えないで、１２セグメント放送のデータ放送の提示を継続する。
【００５５】
以上の内容について具体的な例を示しながらより詳細に説明する。最初に図２から図４を参照しながら、実際に表示される画面の内容を従来の技術と比較しながら本願発明の説明を行う。図２は、従来の動作における画面表示の例を示しており、図３は、本願発明の第１の形態についての画面表示の例を示しており、図４は、本願発明の第２の形態についての画面表示の例を示している。
【００５６】
図２（ａ）は、１２セグメントの放送において映像信号に加えて、データ信号を受信した場合の画面を示している。ここで、データ信号としては、マルチメディア・データ・サービスとして、映像信号と連動した情報を送信する番組連動データ放送や、映像信号とは独立した情報であるニュース、天気、交通情報、市況、選挙の情報や、放送波をトリガーとした双方向サービスの情報であるショッピングやアンケートなどの視聴者参加型番組が考えられる。さらに、字幕・文字サービスとして、訳語字幕や難聴者保護のための情報である字幕情報や、気象、地震、報道速報などの情報である速報情報なども考えられる。
【００５７】
この例においては、番組連動情報、天気情報、交通情報がデータ放送の信号として表示されている。ここで、ユーザーは、リモコン等により、２番目の天気情報を要求しているものとする。
【００５８】
次に、図２（ｂ）は、場所の移動や天候の変化により、１２セグメントの放送で受信している番組の受信感度が低下したことを示している。一方、データ信号としては、選択した天気情報について、地域を選択する画面が表示される。具体的には、地域として北海道、東北、関東、関西などの情報がユーザーに対して表示される。ここで、ユーザーは、Ｂの関西を選択したものとする。次に、図２（ｃ）は、上記の図２（ｂ）よりもさらに受信感度が悪化したことにより、映像信号が表示できなくなっていることを示している。一方、データ信号としては、ユーザーにより選択された関西のさらに詳細な地域の情報が画面に表示される。
【００５９】
ここで、従来の放送受信機においては、１２セグメントの放送波で受信できない場合には、受信状況判定部１０８により判定を行ない、多重分離部１０３を制御することにより、１セグメント放送に切り換える。上述したように、１セグメント放送は１２セグメント放送と比較して所要Ｃ／Ｎが低いので、電波の届きにくい場所で、１２セグ放送が受信できない場合でも１セグメント放送であれば受信が可能となるため、図２（ｄ）に示すように、映像信号を出力することが可能になる。
【００６０】
次に、図２（ｅ）は、受信感度が回復した場合について、１セグメント放送から１２セグメント放送に切り換えた場合を示している。図２（ｅ）に示すように、１２セグの映像信号に加えて、図２（ａ）と同様の内容のデータ信号が表示されている。
【００６１】
ここで、上述したように、この従来の放送受信機においては、１セグメント放送から１２セグメント放送に変更した場合に、図２（ｅ）に示すように、データ信号の内容が再度初期画面図２（ａ）と同様の内容に戻っていることから、ユーザーは再度上述した図２（ａ）から図２（ｃ）の動作を行う必要があり、ユーザーは非常に煩雑な処理を行うことが必要となる。特に、頻繁に１セグメント放送から１２セグメント放送への変換が頻繁な場合にはユーザーには多大な負担をかけることとなる。
【００６２】
これに対して、図３には、本願発明の第１の形態を示している。なお、図３（ａ）から図３（ｃ）については、上述した図２（ａ）から図２（ｃ）と同様の内容であるため、説明を省略する。
【００６３】
図３（ｄ）は、受信感度が低下した場合であっても、図２（ｄ）の場合と異なり、１２セグメント放送から１セグメント放送に切り換えず、１２セグメント放送の受信を継続する。これにより、図３（ｄ）に示すように、図３（ｃ）で取得したデータ信号のデータを継続して表示することが可能になる。従って、図３（ｅ）に示すように、受信感度が回復した場合には、上述した図２（ｅ）とは異なり、ユーザーが図３（ｃ）において選択した内容を継続して処理することが可能になるため、ユーザーは煩雑な処理を行う必要がないという格別な効果を奏することとなる。
【００６４】
なお、上述した例においては、図３（ｄ）において、図３（ｃ）の内容を保持している例について説明したが、受信感度の低下にともない、図３（ｃ）のデータ放送が受信できない場合には、それまで受信している図３（ｂ）の内容を保持し続けるものとする。
【００６５】
しかしながら、上述した第１の形態において、図３（ｄ）から図３（ｅ）の間が長時間になった場合には、ユーザーは長時間映像信号を視聴することができないという問題が生じる。これに対して、所定時間経過後に１２セグメント放送から１セグメント放送に切り換えるという方法も考えられるが、この場合には、上述した図２の場合と同様に、１セグメント放送から１２セグメント放送に切り換えた場合には、データ信号は消去されており、図２の場合と同様の問題が生じる。
【００６６】
このような問題に対して、第２の形態について図４を参照して説明する。ここで、図４（ａ）から（ｃ）については、図２及び図３の（ａ）から（ｃ）と同様の内容であるため説明を省略する。
【００６７】
図４（ｄ）は、図２（ｄ）と図３（ｄ）の場合と異なり、図４（ｃ）で取得したデータ信号の情報をメモリに格納したまま、１２セグメント放送から１セグメント放送に切り換える。これにより、図４（ｄ）に示すように、映像信号及びデータ信号の内容を表示することが可能になる。さらに、この処理により、図４（ｅ）に示すように、１セグメント放送から１２セグメント放送に切り換えた場合であっても、図４（ｃ）及び図４（ｄ）で表示したデータ信号の内容からユーザーが再度選択を行うことが可能になる。
【００６８】
以上のような処理により、図４（ｄ）においては、１２セグメント放送を１セグメント放送に切り換えることにより、１セグメント放送を受信することが可能になるとともに、図４（ｅ）においては、予め選択したデータ信号の内容に基づいて選択を行うため、ユーザーの煩雑な処理を回避することが可能になる。これにより、映像信号を継続して表示することが可能になるとともに、データ信号を有効に活用することができるという特有の効果を奏するものである。
【００６９】
なお、すでに述べたように、サイマル放送でない場合には、１セグメント放送に切り換えないようにしてもよい。次に、上述した図２から図４の画面表示を行うための具体的な構成の処理の内容について、図５から図７を参照して説明する。
【００７０】
本願発明の放送受信機の具体的な構成について図５を参照して説明する。なお、チューナ部２００、誤り訂正部２０２、多重分離部２０４、受信状況判定部２１４については、上述したチューナ部１００、誤り訂正部１０２、多重分離部１０３、受信状況判定部１０８と同様の構成であるため、その説明を省略する。本願発明の放送受信機は、多重分離部２０４から分離された音声信号、映像信号、データ信号の一例である字幕信号をそれぞれデコードする音声デコーダ２０６、映像デコーダ２０８、字幕デコーダ２１０と、映像デコーダ２０８と字幕デコーダ２１０によりデコードされた映像データと字幕データをスケーラ及びカラー・フォーマットを行い結合して表示する提示処理部２１２と、リモコン２２６等の外部端末からの信号を制御する入出力インターフェース２１６と、フォント等の放送受信機が常備するデータを格納するＲＯＭ２１８と、映像データや字幕データ等を格納するＲＡＭ２２０と、放送受信機の各部の制御を行うＣＰＵ２２２と、各部を接続するシステムバス２２４とにより構成されている。
【００７１】
なお、この実施の形態においては、データ放送の一例として字幕信号について説明したが、本願発明はこれに限定されるものではなく、上述したデータ信号を対象とすることも可能である。さらに、本願発明においては、ＢＭＬ（Ｂｒｏａｄｃａｓｔ  Ｍａｒｋｕｐ  Ｌａｎｇｕａｇｅ）コンテンツやＢＭＬデータを処理するＢＭＬブラウザを備える構成とすることも可能である。
【００７２】
以上の構成に基づいて本願発明の処理手順について、図６から図７を参照しながら説明する。図６は、従来の放送受信機における処理手順を示したフローチャートであり、図７は、本願発明の第２の形態の処理手順を示したフローチャートである。
【００７３】
図６に示すように、従来の放送受信機においては、映像信号及びデータ信号の処理を１２セグメント放送でおこなっている場合（ステップ１０２）、データ信号をＲＡＭ２２０に格納する（ステップ１０４）。このステップ１０２とステップ１０４の処理により、図２（ａ）の画面が表示される。ここで、受信場所の変化や周囲の環境の変化などにより受信状況の変化が生じた場合には、受信状況判定部２１４において、予め定められた受信感度の所定値と現在の受信感度の比較が行われ（ステップ１０６）、受信感度が所定値以上でない場合、つまり受信感度が所定値以下である場合には、１２セグメント放送から１セグメント放送への切り換えが行われる（ステップ１０８）。なお、この受信状況判定部２１４は、所定時間ごとに受信感度を測定する構成やＧＰＳ等から受信位置を測定しておき、受信感度が低下する特定の受信領域に放送受信機がある場合に、受信感度が所定値以下であるとする構成により実現可能である。これらの処理については、誤り訂正部２０２、受信状況判定部２２２と、それらの制御を行うＣＰＵ２２２とにより実現することが可能である。
【００７４】
このように、ステップ１０８において、１２セグメント放送から１セグメント放送に切り換えることにより、図２（ｄ）に示した表示を行うことが可能になる。次に、放送受信装置は、ステップ１１０において、１セグメント放送の映像信号やユーザーからの要求があった場合には、データ信号の処理を行ない、受信状況のさらなる変化により、受信感度が所定値以上となった場合には、１セグメント放送から１２セグメント放送への切り替えを行う（ステップ１１４）。さらに、放送受信機は、ステップ１０２に戻って、映像信号とデータ信号の処理を行う。この処理により、図２（ｅ）に示したように、１２セグメント放送の映像信号とデータ信号の表示を行うことが可能になる。
【００７５】
これに対して、本願発明の放送受信装置の処理について、図７を参照しながら説明する。なお、上述した図６のステップ１０２からステップ１１４の処理については、同様の処理を行うため、その説明を省略する。図７に示すように、本願発明の第１の形態の放送受信機においては、ステップ１０６においては所定値以下であることを判別した時点において、１２セグメント放送についてデータ信号を受信しているか否かを判別する（ステップ１０７）。
【００７６】
ここで、１２セグメント放送においてデータ信号を受信している場合には、映像信号とデータ信号を継続して処理を行う（ステップ１０２）。さらに、第１の形態においては、放送受信装置において、継続して１２セグメント放送を受信する。これにより、図３（ｄ）に示すように、１２セグメント放送のデータ信号を保持することが可能になる。さらに、図示はしていないが、放送感度が所定値以上になることにより、１２セグメント放送の映像信号も受信することが可能になり、図３（ｅ）に示すように、１２セグメント放送の映像信号とＲＡＭ（ステップ１０４）に格納されたデータ信号を表示することが可能になる。
【００７７】
一方、データ信号を受信していない場合（データ信号を閲覧していない場合やデータ信号の受信が完了した場合等）には、１セグメント放送の映像信号とユーザーからの要求に応じてデータ信号を処理する（ステップ１０８）。さらに、受信感度が所定値以上であることを判別し（ステップ１１２）、受信感度が所定値以上である場合には、１セグメント放送から１２セグメント放送への切り替え処理を行い（ステップ１１２）、映像信号とユーザーの要求に応じて１２セグメント放送を処理する（ステップ１１４）。
【００７８】
以上のような処理により、本願発明の第２の実施形態においては、上述した従来の放送受信機と比較して、１２セグメント放送のデータ信号を保持することが可能になるため、再度１セグメント放送から１２セグメント放送に切り換えた場合に、継続してデータ放送の操作を行なうことが可能になるものである。さらに、受信感度が所定値以下の場合には、１２セグメントの放送を１セグメントの放送に切り換えることにより、１セグメントの放送による映像信号を受信することが可能になるものである。従って、ユーザーは、映像信号を継続して表示することが可能になるとともに、データ信号を有効に活用することができるという特有の効果を奏するものである。
【００７９】
なお、上述した例においては、１セグと１２セグメント放送について説明したが、本願発明はこれに限定されるものではなく、異なるＣ／Ｎ比を有し、異なる階層で同一の番組が放送されているものであれば本願発明を適用可能である。
【産業上の利用可能性】
【００８０】
本発明にかかるデジタル放送受信機は、車載用デジタルテレビや携帯用デジタルテレビなど、移動しながら視聴する受信機で利用可能である。
【図面の簡単な説明】
【００８１】
【図１】本発明の実施の形態１におけるデジタル放送受信機の構成を示すブロック図
【図２】従来の放送受信機における画面変化を示す図
【図３】本発明の放送受信機における画面変化を示す図
【図４】本発明の放送受信機における画面変化を示す図
【図５】本発明の放送受信機の構成を示すブロック図
【図６】従来の放送受信機のフローチャート
【図７】本発明の放送受信機のフローチャート
【図８】従来の放送受信機の構成を示すブロック図
【符号の説明】
【００８２】
１０１    チューナ部
１０２    誤り訂正部
１０３    多重分離部
１０４    動画デコード部
１０５    データ放送提示部
１０６    番組関連情報表示部
１０７    映像合成部
１０８    受信状況判定部
１０９    切り換え判定部
１１０    操作中判定部
１１１    サイマル放送判定部
１１２    選局制御部
２００    チューナ部
２０２    誤り訂正部
２０４    多重分離部
２０６    音声デコーダ
２０８    映像デコーダ
２１０    字幕デコーダ
２１２    提示処理部
２１４    受信状況判定部
２１６    入出力インターフェース
２１８    ＲＯＭ
２２０    ＲＡＭ
２２２    ＣＰＵ
２２４    システムバス
２２６    リモコン
【図１】
2007251480.tif 000003
【図２】
2007251480.tif 000004
【図３】
2007251480.tif 000005
【図４】
2007251480.tif 000006
【図５】
2007251480.tif 000007
【図６】
2007251480.tif 000008
【図７】
2007251480.tif 000009
【図８】
2007251480.tif 000010